(57)【要約】【課題】  居室部分独自の雰囲気を作り出すことにより快適な居住環境を実現することができ、また、広いキッチンスペースを確保することができる集合住宅の住戸構造を提供する。【解決手段】  居室部分５と設備室部分１０とがそれぞれ奥行き方向に伸び、かつ並列に配置され、居室部分５は玄関土間２、居室３およびサンルーム４を有し、設備室部分１０はトイレ６、洗面台７、キッチン８および浴室９を有し、居室３とキッチン８との間には、所定以上の間口寸法Ｌを有する開口部１６が設けられ、開口部１６には、居室３とキッチン８との間の開放および閉鎖の切り替えを可能とする仕切り１６ａが設けられている。【選択図】  図１
2006169815.tif 000002
【特許請求の範囲】
【請求項１】
居室部分と設備室部分とがそれぞれ奥行き方向に伸び、かつ並列に配置された集合住宅の住戸構造であって、
前記居室部分は少なくとも居室を有すると共に、前記設備室部分は少なくともキッチンを有し、
前記居室と前記キッチンとの間には、所定以上の間口寸法を有する開口部が設けられ、
前記開口部には、前記居室と前記キッチンとの間の開放および閉鎖の切り替えを可能とする仕切りが設けられてなることを特徴とする集合住宅の住戸構造。
【請求項２】
居室部分と設備室部分とがそれぞれ奥行き方向に伸び、かつ並列に配置された集合住宅の住戸構造であって、
前記居室部分は少なくとも居室およびサンルームを有すると共に、前記設備室部分は少なくとも浴室を有し、
前記サンルームは太陽光が差し込む側に配置されると共に、前記浴室は前記サンルームと隣接して配置され、
前記浴室の前記サンルーム側の壁には採光窓が設けられていることを特徴とする集合住宅の住戸構造。
【請求項３】
居室部分と設備室部分とがそれぞれ奥行き方向に伸び、かつ並列に配置された集合住宅の住戸構造であって、
前記居室部分は少なくとも居室および前記居室部分の太陽光が差し込む側に配置されたサンルームを有する共に、前記設備室部分は少なくともキッチンを有し、
前記居室と前記キッチンとの間にはキッチン仕切り戸が設けられると共に、前記居室と前記サンルームの間にはサンルーム仕切り戸が設けられ、
前記キッチン仕切り戸と前記サンルーム仕切り戸とは、共に透光性でありながら不透明に形成されていることを特徴とする集合住宅の住戸構造。
【発明の詳細な説明】
【技術分野】
【０００１】
本発明は、マンション、アパート等の集合住宅における住戸構造に関するものである。
【背景技術】
【０００２】
マンション、アパート等の集合住宅として、例えば、単身者の居住に適したＬＫやＬＤＫの間取り形式の住戸を有するものが知られている。
【０００３】
このような住戸においては、限られた住戸面積を有効活用するため、玄関土間にキッチンを配置したもの（例えば、特許文献１参照）や居室部分にキッチンを配置したもの（例えば、特許文献２参照）が知られている。
【特許文献１】特開２００１−２９５４８２号公報（図１、００２２段落）
【特許文献２】特開平９−２９１７１１号公報（図１０、００２９段落）
【発明の開示】
【発明が解決しようとする課題】
【０００４】
しかしながら、玄関の土間にキッチンを配置した住戸構造では、広いキッチンスペースを確保できないという問題がある。
【０００５】
また、居室部分にキッチンを配置した住戸構造では、居室と隣り合わせになることから広いキッチンスペースを確保できるものの、常にキッチンと向い合わせの生活となるので、居室部分独自の雰囲気を作り出すことができず、また、来客時等にはキッチンのプライバシーを保つことができないという問題がある。
【０００６】
さらに、集合住宅の住戸には、浴室が配置されているが、プライバシーの関係上、浴室は外部空間と隔離されて形成されている。
【０００７】
そこで、本発明は、居室部分独自の雰囲気を作り出すことにより快適な居住環境を実現することができ、また、広いキッチンスペースを確保することができる集合住宅の住戸構造を提供することを目的としている。
【０００８】
また、本発明は、浴室の閉鎖感を解消することができる集合住宅の住戸構造を提供することを目的としている。
【０００９】
さらに、本発明は、住戸内の光の分布が偏らず、かつ意匠的な連続感が実現される集合住宅の住戸構造を提供することを目的としている。
【課題を解決するための手段】
【００１０】
前記目的を達成するために、請求項１の発明は、居室部分と設備室部分とがそれぞれ奥行き方向に伸び、かつ並列に配置された集合住宅の住戸構造であって、
前記居室部分は少なくとも居室を有すると共に、前記設備室部分は少なくともキッチンを有し、
前記居室と前記キッチンとの間には、所定以上の間口寸法を有する開口部が設けられ、
前記開口部には、前記居室と前記キッチンとの間の開放および閉鎖の切り替えを可能とする仕切りが設けられてなる集合住宅の住戸構造を特徴としている。
【００１１】
また、請求項２の発明は、居室部分と設備室部分とがそれぞれ奥行き方向に伸び、かつ並列に配置された集合住宅の住戸構造であって、
前記居室部分は少なくとも居室およびサンルームを有すると共に、前記設備室部分は少なくとも浴室を有し、
前記サンルームは太陽光が差し込む側に配置されると共に、前記浴室は前記サンルームと隣接して配置され、
前記浴室の前記サンルーム側の壁には採光窓が設けられている集合住宅の住戸構造を特徴としている。
【００１２】
さらに、請求項３の発明は、居室部分と設備室部分とがそれぞれ奥行き方向に伸び、かつ並列に配置された集合住宅の住戸構造であって、
前記居室部分は少なくとも居室および前記居室部分の太陽光が差し込む側に配置されたサンルームを有する共に、前記設備室部分は少なくともキッチンを有し、
前記居室と前記キッチンとの間にはキッチン仕切り戸が設けられると共に、前記居室と前記サンルームの間にはサンルーム仕切り戸が設けられ、
前記キッチン仕切り戸と前記サンルーム仕切り戸とは、共に透光性でありながら不透明に形成されている集合住宅の住戸構造を特徴としている。
【発明の効果】
【００１３】
このように構成された請求項１のものは、居室とキッチンとが隣接しているためキッチンスペースを広くとることができ、しかも、居室とキッチンとの間には、所定以上の間口寸法を有する開口部が設けられ、開口部には、居室とキッチンとの間の開放および閉鎖の切り替えが可能なように仕切りが設けられてなるものであり、その時々の状況に応じた使い方ができる。
【００１４】
これによって、仕切りを閉鎖すれば、居室独自の雰囲気を作り出すことができ、仕切りを開放すれば居室の床をキッチン部分まで拡大することにより、居室の開放感を向上させることができ、快適な居住環境を実現することができる。
【００１５】
また、来客時等においてキッチンを隠したい時などは、仕切りを閉めることによりプライバシーを保つことができる。
【００１６】
また、請求項２に記載されたものは、居室部分の太陽光が差し込む側にはサンルームが配置され、設備室部分にはサンルームに隣接して浴室が配置され、浴室のサンルーム側の壁には採光窓が設けられている。
【００１７】
これによって、浴室の光をサンルームから採ることができ、プライバシーを保ちながら浴室の閉鎖感を解消することができる。
【００１８】
さらに、請求項３に記載されたものは、居室とキッチンとの間の仕切り戸および居室とサンルームとの間の仕切り戸は共に透光性でありながら不透明に形成されている。
【００１９】
これによって、各仕切り戸は、透光性でかつ意匠が揃えられたものとなり、住戸内の光の分布が偏らず、かつ意匠的な連続感が実現される。
【発明を実施するための最良の形態】
【００２０】
以下、本発明の最良の実施の形態について図面を参照して説明する。
【００２１】
図１は、本実施の形態による集合住宅の住戸間取りを示している。
【００２２】
まず、構成から説明すると、このような本実施の形態の集合住宅の住戸構造では、玄関１を入ると、奥行き方向に玄関土間２、居室３およびサンルーム４が順次配置された居室
部分５が形成され、居室部分５と並列に、奥行き方向にトイレ６、洗面台７、キッチン８および浴室９が順次配置された設備室部分１０が形成されている。
【００２３】
キッチン８には、ガスコンロ台１１および流し台１２が配置されると共に冷蔵庫１３および洗濯機１４が置かれ、浴室９には、浴槽９ａが配置され、居室３には、可動収納１５が置かれている。
【００２４】
設備室部分１０に配置されたキッチン８と居室部分５に配置された居室３との間には、開口部１６が形成され、この開口部１６には仕切り１６ａが設けられている。
【００２５】
仕切り１６ａは、３枚のキッチン仕切り戸１６ｂ，１６ｃ，１６ｄによって形成され、これらキッチン仕切り戸１６ｂ，１６ｃ，１６ｄを引き戸形式で移動させることにより、開放および閉鎖の切り替えが行われる。
【００２６】
仕切り１６ａを開放のときは、キッチン仕切り戸１６ｂ，１６ｃ，１６ｄを一括して戸袋１６ｅに収納することにより広い間口寸法Ｌを確保することができる。
【００２７】
また、これらキッチン仕切り戸１６ｂ，１６ｃ，１６ｄは、共に透光性ではあるが不透明なガラスまたはプラスチックをアルミサッシ等の外枠内に嵌め込んで形成されている。
【００２８】
開口部１６は、間口寸法Ｌが所定値１８００ｍｍ以上であることが好ましく、このように広い間口寸法とすることにより、引き戸１６ｂ，１６ｃ，１６ｄを開放したとき、居室３の開放感をより大きなものとすることができる。
【００２９】
サンルーム４は、居室部分５の太陽光が差し込む側（東、南、西、南東または南西側）、すなわち、居室３の奥部分に配置され、居室３とサンルーム４との間には開口部１７が設けられている。
【００３０】
この開口部１７には、３枚のサンルーム仕切り戸１７ｂ，１７ｃ，１７ｄからなる仕切り１７ａが設けられ、これらサンルーム仕切り戸１７ｂ，１７ｃ，１７ｄを引き戸形式で移動させることにより、開閉が行われる。
【００３１】
また、これらサンルーム仕切り戸１７ｂ，１７ｃ，１７ｄは、共にキッチン仕切り戸１６ｂ，１６ｃ，１６ｄと同様に透光性ではあるが不透明なガラスまたはプラスチックを外枠に嵌め込んで形成されている。
【００３２】
このように、居間３を囲う仕切り戸は、全て材質および色彩が統一されることにより、意匠的な連続感が実現される。
【００３３】
また、サンルーム４の外部空間側には、透明仕切り１８の両側に透明仕切り戸１８ａ，１８ｂが設けられ、これら透明仕切り戸１８ａ，１８ｂを引き戸形式で移動させることにより、開閉が行われるようになっている。
【００３４】
設備室部分１０には、サンルーム４と隣接して浴室９が配置され、浴室９のサンルーム４側の外壁には、採光窓１９が設けられている。
【００３５】
採光窓１９はサンルーム４側に面しているので、透明ガラスで形成してもプライバシーを保つことができ、浴室の閉鎖感を解消することができる。
【００３６】
次に、この実施の形態の作用について説明する。
【００３７】
このように構成された集合住宅の住戸では、居室３とキッチン８とが隣接しているためキッチンスペースを広くとることができ、しかも、居室３とキッチン８との間には、所定以上の間口寸法を有する開口部１６が設けられ、開口部１６には、居室３とキッチン８との間の開放および閉鎖の切り替えが可能なように仕切り１６ａが設けられてなるものであり、その時々の状況に応じた使い方ができる。
【００３８】
これによって、仕切り１６ａを閉鎖すれば、居室３独自の雰囲気を作り出すことができ、仕切り１６ａを開放すれば居室３の床をキッチン８部分まで拡大することにより、居室３の開放感を向上させることができ、快適な居住環境を実現することができる。
【００３９】
また、来客時等においてキッチン８を隠したい時などは、仕切り１６ａを閉めることによりプライバシーを保つことができる。
【００４０】
また、居室部分５の太陽光が差し込む側にはサンルーム４が配置され、設備室部分１０にはサンルーム４に隣接して浴室９が配置され、浴室９のサンルーム側の壁には採光窓１９が設けられている。
【００４１】
これによって、浴室９の光をサンルーム４から採ることができ、プライバシーを保ちながら浴室９の閉鎖感を解消することができる。
【００４２】
さらに、居室３とキッチン８との間のキッチン仕切り戸１６ｂ，１６ｃ，１６ｄおよび居室３とサンルーム４との間のサンルーム仕切り戸１７ｂ，１７ｃ，１７ｄは共に透光性でありながら不透明に形成されている。
【００４３】
これによって、各仕切り戸１６ｂ，１６ｃ，１６ｄ，１７ｂ，１７ｃ，１７ｄは、透光性でかつ意匠が揃えられたものとなり、住戸内の光の分布が偏らず、かつ意匠的な連続感が実現される。
【００４４】
以上、図面を参照して、本発明の最良の実施の形態を詳述してきたが、具体的な構成は、この実施の形態に限らず、本発明の要旨を逸脱しない程度の設計的変更は、本発明に含まれる。
【００４５】
例えば、前記実施の形態では、ＬＫタイプの住戸について説明したが、本発明は、１ＬＫ以上、さらには、ＬＤＫタイプの住戸にも適用できるものである。
【００４６】
また、本発明は、鉄筋コンクリートはもとより、鉄骨造、木造等の集合住宅に適用できるものである。
【図面の簡単な説明】
【００４７】
【図１】本発明の最良の実施の形態の集合住宅用住戸の全体の構成を説明する平面図である。
【図２】本発明の最良の実施の形態の集合住宅用住戸の構成を説明する玄関土間からサンルーム方向を見た斜視図である。
【図３】本発明の最良の実施の形態の集合住宅用住戸の構成を説明する浴室からサンルーム方向を見た斜視図である。
【符号の説明】
【００４８】
３  居室
４  サンルーム
５  居室部分
８  キッチン
９  浴室
１０  設備室部分
１６  開口部
１６ａ  仕切り
１６ｂ，１６ｃ，１６ｄ  キッチン仕切り戸
１７ｂ，１７ｃ，１７ｄ  サンルーム仕切り戸
１９  採光窓
【図１】
2006169815.tif 000003
【図２】
2006169815.tif 000004
【図３】
2006169815.tif 000005